【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
ビニリデンフルオライドとテトラフルオロエチレンとパーフルオロメチルビニルエーテルとの三元共重合体の分子内にヨウ素および臭素の少なくとも何れか一方が導入されたフルオロポリマーをラジカル架橋して形成されるフルオロエラストマーを含んでなる表層と、
液状シリコーンポリマーが該フルオロエラストマーと化学結合し、該表層上に形成された最表層と
を具備してなることを特徴とする定着用部材。
【請求項２】
前記最表層の十点平均表面粗さ（Ｒｚ）は、１μｍ以下である請求項１に記載の定着用部材。
【請求項３】
前記表層の厚みと前記最表層の厚みとの総和は、５〜３００μｍである請求項１又は２に記載の定着用部材。
【請求項４】
前記液状シリコーンポリマーは、ジメチルシリコーンポリマー又はビニル基を少なくとも一つ有するジメチルシリコーンポリマーである請求項１乃至３の何れかに記載の定着用部材。
【請求項５】
ビニリデンフルオライドとテトラフルオロエチレンとパーフルオロメチルビニルエーテルとの三元共重合体の分子内にヨウ素および臭素の少なくとも何れか一方が導入されたフルオロポリマーをラジカル架橋して形成されるフルオロエラストマーを含んでなる表層と、
該表層上のシリコーンポリマーを含む最表層と、を具備している定着用部材であって、該シリコーンポリマーが、該フルオロエラストマ−と化学結合していることを特徴とする定着用部材。
【請求項６】
電子写真画像形成装置に用いる定着装置において、請求項１乃至５の何れかに記載の定着用部材が配置されていることを特徴とする定着装置。
【請求項７】
ビニリデンフルオライドとテトラフルオロエチレンとパーフルオロメチルビニルエーテルとの三元共重合体の分子内にヨウ素および臭素の少なくとも何れか一方が導入されたフルオロポリマーと、架橋剤と、架橋助剤とを含有するコーティング液を基材に塗布する工程と、
該基材に塗布された該コーティング層を液状シリコーンポリマーに接触させた状態で該フルオロポリマーをラジカル架橋してフルオロエラストマーとするのと同時に、該フルオロエラストマーと該液状シリコーンポリマーとの間に化学結合を形成する工程と
を含んでなることを特徴とする定着用部材の製造方法。
【請求項８】
前記化学結合を形成する工程は、前記コーティング層が形成された前記基材を加熱状態の前記液状シリコーンポリマーに浸漬して行われる請求項７に記載の定着用部材の製造方法。
【請求項９】
前記架橋剤はベンゾイルパーオキサイドであり、前記加熱状態の液状シリコーンポリマーの温度は１１０〜２５０℃である請求項８に記載の定着用部材の製造方法。
【請求項１０】
前記液状シリコーンポリマーは、ジメチルシリコーンポリマー又はビニル基を少なくとも一つ有するジメチルシリコーンポリマーである請求項７乃至９の何れかに記載の定着用部材の製造方法。
【手続補正２】
【補正対象書類名】明細書
【補正対象項目名】００３０
【補正方法】変更
【補正の内容】
【００３０】
第１に、表層がフルオロエラストマーからなり、このフルオロエラストマーがビニリデンフルオライドとテトラフルオロエチレンとパーフルオロメチルビニルエーテルとの三元共重合体の分子内にヨウ素および臭素の少なくとも何れか一方が導入されたフルオロポリマーをラジカル架橋したものである定着用部材において、トナーリリースを補助する目的でフルオロエラストマー表層に塗布されるシリコーンオイルの親和性因子による良好な濡れ性を実現することである。
【手続補正３】
【補正対象書類名】明細書
【補正対象項目名】００３９
【補正方法】変更
【補正の内容】
【００３９】
【課題を解決するための手段】
本発明によれば、ビニリデンフルオライドとテトラフルオロエチレンとパーフルオロメチルビニルエーテルとの三元共重合体の分子内にヨウ素および臭素の少なくとも何れか一方が導入されたフルオロポリマーをラジカル架橋して形成されえるフルオロエラストマーを含んでなる表層と、液状シリコーンポリマーが該フルオロエラストマーと化学結合し、該表層上に形成された最表層と
を具備してなる定着用部材が提供される。
【手続補正４】
【補正対象書類名】明細書
【補正対象項目名】００４３
【補正方法】変更
【補正の内容】
【００４３】
以上の様な定着用部材は、ビニリデンフルオライドとテトラフルオロエチレンとパーフルオロメチルビニルエーテルとの三元共重合体の分子内にヨウ素および臭素の少なくとも何れか一方が導入されたフルオロポリマーと、架橋剤と、架橋助剤とを含有するコーティング液を基材に塗布する工程と、
該基材に塗布された該コーティング層を液状シリコーンポリマーに接触させた状態で該フルオロポリマーをラジカル架橋してフルオロエラストマーとするのと同時に、該フルオロエラストマーと該液状シリコーンポリマーとの間に化学結合を形成する工程と
を含んでなる方法により製造することができる。
【手続補正５】
【補正対象書類名】明細書
【補正対象項目名】００５２
【補正方法】変更
【補正の内容】
【００５２】
なお、表層はビニリデンフルオライドとテトラフルオロエチレンとパーフルオロメチルビニルエーテルとの三元共重合体の分子内にヨウ素および臭素の少なくとも何れか一方が導入されたフルオロポリマーをパーオキサイド架橋したフルオロエラストマーからなるため、良好なトナーリリース性、および良好な耐キズ性、耐磨耗性を実現できる。
【手続補正６】
【補正対象書類名】明細書
【補正対象項目名】００５５
【補正方法】変更
【補正の内容】
【００５５】
フルオロポリマーとしては、ビニリデンフルオライドとテトラフルオロエチレンとパーフルオロメチルビニルエーテルとの三元共重合体の分子内にヨウ素および臭素の少なくとも何れか一方が導入されたフルオロポリマーが好ましく、この様なフルオロポリマーは公知の方法で合成できる。また、この様な三元共重合体は市販されており、例えば、ビニリデンフルオライド、テトラフルオロエチレン及びパーフルオロメチルビニルエーテルの三元共重合体としては、ダイキン工業（株）製ダイエルＬＴ３０２（商品名）、デュポン  ダウ  エラストマー  ジャパン（株）製バイトンＧＬＴ（商品名）、同社製バイトンＧＬＴ−３０５（商品名）、同社製バイトンＧＬＴ−５０５（商品名）、同社製バイトンＧＦＬＴ（商品名）、同社製バイトンＧＦＬＴ−３００（商品名）、同社製バイトンＧＦＬＴ−３０１（商品名）、同社製バイトンＧＦＬＴ−５０１（商品名）、同社製バイトンＧＦＬＴ−６００（商品名）等を挙げることができる。
【手続補正７】
【補正対象書類名】明細書
【補正対象項目名】００６４
【補正方法】変更
【補正の内容】
【００６４】
しかしながら、ビニリデンフルオライドとテトラフルオロエチレンとパーフルオロメチルビニルエーテルとの三元共重合体の分子内にヨウ素および臭素の少なくとも何れか一方が導入されたフルオロポリマーは、一般に用いられているフルオロポリマーに比べると、シリコーンポリマーとの親和性が高く、フルオロエラストマー表層上に最表層として機能するために必要な量のシリコーンポリマーが化学結合で導入できる。
【手続補正８】
【補正対象書類名】明細書
【補正対象項目名】００７９
【補正方法】変更
【補正の内容】
【００７９】
ビニリデンフルオライドとテトラフルオロエチレンとパーフルオロメチルビニルエーテルとの三元共重合体の分子内にヨウ素および臭素の少なくとも何れか一方が導入されたフルオロポリマー、架橋剤であるベンゾイルパーオキサイド、架橋助剤であるトリアリルイソシアヌレートを溶剤であるメチルイソブチルケトンに溶解し、コーティング溶液を調製する。
【手続補正９】
【補正対象書類名】明細書
【補正対象項目名】０１５１
【補正方法】変更
【補正の内容】
【０１５１】
【発明の効果】
以上説明したように、本発明によれば、ビニリデンフルオライドとテトラフルオロエチレンとパーフルオロメチルビニルエーテルとの三元共重合体の分子内にヨウ素および臭素の少なくとも何れか一方が導入されたフルオロポリマーをラジカル架橋して得られるフルオロエラストマー表層上に、シリコーンポリマーが最表層として化学結合した定着用ローラ及び定着用ベルトを得ることができる。